(57)【要約】【課題】低価額の部品を有効に利用して、廉価で単純な構成にて、高性能のマルチＡＦ付カメラを提供することである。【解決手段】測距用ＩＣ６にて被写体像が受光されて第１の電圧レベルから積分が開始される。そして、Ａ／Ｄ変換器１１にて、上記第１の電圧レベルより低い、第２の電圧が最大値としてＡ／Ｄ変換が行われる。上記測距用ＩＣ６の出力回路の出力電圧は抵抗列８で分圧され、分圧された出力電圧若しくは分圧前の電圧信号が、上記Ａ／Ｄ変換器１１に入力される。そして、Ａ／Ｄ変換器１１の出力結果に基づいて、演算制御部１２に於いて被写体までの距離信号が算出される。【選択図】　　図１
2004101909.tif 000002
【特許請求の範囲】
【請求項１】
被写体像を受光して第１の電圧レベルから積分を開始する像信号形成回路と、
上記第１の電圧レベルより低い、第２の電圧を最大値としてＡ／Ｄ変換を行うＡ／Ｄ変換手段と、
上記像信号形成回路の出力回路の出力電圧の分圧を行う分圧回路と、
分圧された出力電圧若しくは分圧前の電圧信号を、上記Ａ／Ｄ変換手段に入力する制御回路と、
上記Ａ／Ｄ変換手段の出力結果に基づいて上記被写体までの距離信号を算出する演算手段と、
を具備することを特徴とするカメラ。
【請求項２】
上記演算手段は、上記分圧された出力電圧若しくは分圧前の電圧の何れかの信号のレベル若しくは振幅を判定する判定手段を有し、
更に、上記判定手段の判定結果に基づいて、上記距離算出時に、上記分圧された出力電圧若しくは分圧前の電圧の何れかの信号を利用するかを決定する決定手段を具備することを特徴とする請求項１に記載のカメラ。
【請求項３】
上記演算手段は、上記分圧回路による信号及び分圧前の電圧信号を利用して上記被写体距離を算出することを特徴とする請求項１に記載のカメラ。
【発明の詳細な説明】
【０００１】
【発明の属する技術分野】
この発明は、オートフォーカス（ＡＦ）カメラのＡＦ技術の改良に関するものである。
【０００２】
【従来の技術】
近年カメラのＡＦ技術は、単に、画面内中心の被写体ばかりでなく、画面内の左右に存在する被写体の距離も測定し、それらも考慮して、自動的にピント合わせを行うマルチＡＦの分野での発達が著しい。
【０００３】
また、このような技術進歩が低価格の機種にも及び、廉価な構成で、高精度なマルチＡＦを搭載するカメラが求められている。また、従来の測距装置は、ＡＦセンサ像データ読出し時のＡ／Ｄ変換のダイナミックレンジ対策を施しており、２回のＡ／Ｄ変換の結果を合成して像データを形成することにより、高精度且つ高速のオートフォーカスを実現するようにしている（例えば、特許文献１参照）。
【０００４】
【特許文献１】
特開２００１−１６６１９８号公報［００１８］〜［００５９］、［図１］〜［図６］
ところで、近年、カメラ用の測距装置はユニット化され、回路は集積回路（ＩＣ）化される傾向にある。
【０００５】
更に、ＩＣを廉価にするために、ＩＣのチップを小さくする工夫が行われている。そのためには、ＩＣの端子数（パッド数）を減少させることや機能を削減することが有効である。また、基準電圧等も外部から供給することなく、内部で発生させて電圧入力用の端子を減らすように工夫がなされている。
【０００６】
一方、測距装置の出力からカメラの撮影レンズをピント合わせ制御する回路には、ワンチップマイクロコントローラ（ＣＰＵ）が用いられるが、このＣＰＵも同様の方法で低コスト化される傾向がある。
【０００７】
但し、ＣＰＵは、微細プロセスを採用して、より多彩な機能を内蔵する傾向が強い。例えば、Ａ／Ｄ変換器等もＣＰＵに内蔵されており、これらの状況より、各回路、部品メーカの違い等によって、基準電圧が異なったＩＣとＣＰＵを上手に組み合わせて使用することが、カメラの低価額化の推進の１つの方策となっている。
【０００８】
【発明が解決しようとする課題】
しかしながら、上述した特許文献１に記載の測距装置では、Ａ／Ｄ変換用のレギュレータを搭載することによってコストアップしてしまうという課題を有していた。
【０００９】
したがってこの発明は、以上の点に鑑みてなされたものであり、廉価で、且つ単純な構成ながら、画面内のどの位置に被写体が存在しても、正確なピント合わせが可能で、より簡単で使いやすいカメラを提供することを目的とする。
【００１０】
【課題を解決するための手段】
すなわちこの発明は、被写体像を受光して第１の電圧レベルから積分を開始する像信号形成回路と、上記第１の電圧レベルより低い、第２の電圧を最大値としてＡ／Ｄ変換を行うＡ／Ｄ変換手段と、上記像信号形成回路の出力回路の出力電圧の分圧を行う分圧回路と、分圧された出力電圧若しくは分圧前の電圧信号を、上記Ａ／Ｄ変換手段に入力する制御回路と、上記Ａ／Ｄ変換手段の出力結果に基づいて上記被写体までの距離信号を算出する演算手段と、を具備することを特徴とする。
【００１１】
この発明のカメラにあっては、像信号形成回路にて被写体像が受光されて第１の電圧レベルから積分が開始される。そして、Ａ／Ｄ変換手段にて、上記第１の電圧レベルより低い、第２の電圧が最大値としてＡ／Ｄ変換が行われる。上記像信号形成回路の出力回路の出力電圧は分圧回路で分圧され、分圧された出力電圧若しくは分圧前の電圧信号は、制御回路により上記Ａ／Ｄ変換手段に入力される。そして、上記Ａ／Ｄ変換手段の出力結果に基づいて、演算手段に於いて上記被写体までの距離信号が算出される。
【００１２】
【発明の実施の形態】
以下、図面を参照してこの発明の実施の形態を説明する。
【００１３】
初めに、図１乃至図５を参照して、この発明の第１の実施の形態について説明する。
【００１４】
図１は、この発明の第１の実施の形態に係るカメラの概略構成を示すブロック図である。
【００１５】
主被写体１である人物からの光は、一対の受光レンズ２ａ及び２ｂを介して、一対のセンサアレイ３ａ及び３ｂに入射される。該センサアレイ３ａ及び３ｂの出力は、積分回路４に供給される。上記一対のセンサアレイ３ａ及び３ｂと、積分回路４と、積分開始レベル等を決める基準電圧源５等から、測距用のＩＣ６が構成される。
【００１６】
上記基準電圧源５の出力電圧はＶｒｅｆ１であり、積分回路４は、この基準電圧源５の出力を基にした電圧と積分電圧を比較して、積分を停止させたりする機能を有するが、後述するＣＰＵ１０の制御によっても、この積分動作は停止させることができる。
【００１７】
上記積分回路４の出力は、各々抵抗値Ｒを有する２つの抵抗列８の中間電極で、ＣＰＵ１０を構成するＡ／Ｄ変換器１１に入力される。この抵抗列８の一方の端は、図示の如くオープンドレイン出力ポートのトランジスタ１５に接続される。また、Ａ／Ｄ変換器１１には基準電圧源１４から所定の基準電圧Ｖｒｅｆ２が供給され、該Ａ／Ｄ変換器１１の出力が演算制御部１２に供給される。
【００１８】
上記Ａ／Ｄ変換器１１と、演算制御部１２と、トランジスタ１５等によりＣＰＵ１０が構成されている。更に、このＣＰＵ１０には、操作スイッチ１６が設けられている。
【００１９】
このような構成のカメラに於いて、ＣＰＵ１０は、ユーザのカメラ操作を操作スイッチ１６等で判定して、所定のシーケンスによって測距用ＩＣ６を制御して、内蔵するＡ／Ｄ変換器１１を介して得られたセンサアレイの出力（積分出力）より、被写体距離を算出する。こうして得られた距離Ｌの主被写体１に対し、図示されないピント合わせレンズをピント合わせ制御して、撮影手段（図示せず）を制御すれば、オートフォーカスカメラを提供することができる。
【００２０】
上述した積分出力（積分回路４の出力）がＡ／Ｄ変換器１１でＡ／Ｄ変換される時に、所定の基準電圧Ｖｒｅｆ２が基準電圧源１４から供給される。これを、例えば８ｂｉｔに分割した電圧が、積分出力（像データ）の分解能となる。
【００２１】
この基準電圧源１４の出力Ｖｒｅｆ２は、基準電圧源５の出力Ｖｒｅｆ１と同じ電圧であれば、積分出力は無駄なく、また、読取り不能の領域なく読取ることができる。しかしながら、上述したように、測距用ＩＣ６内に基準電圧が組込まれており、尚かつ、外部からそれを参照できない場合には、出力Ｖｒｅｆ１とＶｒｅｆ２が一致せず、この発明のような工夫が必要となる。
【００２２】
そのため、積分出力は、上述したように、各々抵抗値Ｒの２つの抵抗列８の中間電極でＣＰＵ１０のＡ／Ｄ変換器１１に入力されている。これらの抵抗列８の一方の端を、図のようにＣＰＵがオープンドレイン出力ポートのトランジスタ１５で、接地したり、開放にしたりすることによって、積分出力はある時は半分の電圧に分圧されたり、分圧されずそのまま抵抗値Ｒの抵抗を介してＡ／Ｄに入力される。
【００２３】
つまり、ＣＰＵ１０によるトランジスタ１５の制御によって、ＣＰＵ１０のＡ／Ｄ変換器６が読取る積分電圧は、Ｖｒｅｆ１基準になったり、その半分の２分の１のＶｒｅｆ１相当基準になったりする。これは抵抗列８の２つの抵抗値Ｒが同じ値であるからである。但し、これはこれからの説明を単純化するためであって、実際には、Ｖｒｅｆ１、Ｖｒｅｆ２の各々の値に合わせて、抵抗比を設計で合わせこむ必要がある。
【００２４】
一対のセンサアレイ３ａ及び３ｂの前方には、主被写体１の像をセンサアレイ３ａ及び３ｂ上に結像させるための一対の受光レンズ２ａ及び２ｂが設けられている。これらの受光レンズ２ａ、２ｂの主点間距離を基線長Ｂ、焦点距離をｆとすると、この視差による三角測距の原理により、被写体距離Ｌに従って像の入射位置差が変化する。この位置差を図１に示されるようにｘとすると、ｘ＝Ｂ・ｆ／Ｌなので、この関係より被写体距離Ｌを算出することができる。
【００２５】
このような構成のカメラでは、積分回路４の出力は、図２（ａ）に示されるような逆光シーンでは、図２（ｂ）に示されるような分布になる。図２（ａ）に於いて、画面２０内の主被写体２１の頭の部分に、センサアレイ３ａのモニタ範囲２２がかかっている。
【００２６】
図２（ｂ）に示される像データは、積分回路４が、各画素の最大積分値がＶＳＴＯＰ１　のレベルになった時に、積分を終了するように制御した場合に得られるものである。ここで、積分開始レベルがＶｒｅｆ１であり、Ａ／Ｄ変換の基準電圧Ｖｒｅｆ２である場合、Ｖｒｅｆ１〜Ｖｒｅｆ２の間の電圧値のデータは、ＣＰＵ１０には検出できない信号となる。
【００２７】
しかし、抵抗列８の一方を接地すると、各データは１／２の値になるので、図２（ｂ）に“１／２像データ”として示した値となり、Ａ／Ｄ変換可能レベルとなる。
【００２８】
このような方法で、ＣＰＵ１０での読取りを可能としたのがこの構成の１つの特徴であるが、これだけでは像データが縮小されるだけで、像のコントラストＶＰＰも小さくなってしまい、測距精度が劣化する。この発明では、それを対策するために、時に応じて、１／２にする前の像データも適宜参照しながら精度確保を行うようにしている。
【００２９】
例えば、図３（ａ）に示されるように、背景から人物（主被写体２１）が浮かびあがるような順光シーンでは、積分終了レベルを、図３（ｃ）に示されるように、ＶＳＴＯＰ２　にすれば、抵抗分圧を用いずとも背景にはＡ／Ｄ変換できない領域が生じるものの、主被写体２１の像は、比較的高いコントラストで像データが得られ、良好なピント合わせができる。この場合は、トランジスタ１５がオフになる。
【００３０】
図３（ｂ）には、積分終了レベルをＶＳＴＯＰ１　とした時に得られる像データと、それを抵抗で分圧してＡ／Ｄ変換した時の１／２像データとが示される。この１／２像データは、Ｖｒｅｆ１の半分のレベル１／２Ｖｒｅｆ１を基準にしてＡ／Ｄ変換されるので、全領域のデータを読むことができるが、図２（ｂ）で示されたように、像のコントラストが低くなるというデメリットがある。
【００３１】
このように、全領域のデータを読み取ることができるか否かによって、図４に示されるようなシーンに対応できるか否かが決まる。つまり、このシーンでは、中央に明るいコントラストの建物があり、少し右よりに人物（主被写体２１）が存在するので、図３（ｃ）と同様の像データが出力される。しかしながら、これでは中央部はデータが入力できても、周辺部のデータは読取ることができないのでマルチＡＦとはならず、人物に正しくピント合わせをすることができない。これらのことを考慮すると、下記表１のような関係があることがわかる。
【００３２】
【表１】
2004101909.tif 000003
【００３３】
つまり、読出し時にトランジスタ１５がオンされると、１／２データになって全領域のデータを読むことができ、マルチＡＦに対応できるが、ダイナミックレンジが小さい像データになり、精度が劣化する。逆に、トランジスタ１５がオフにされると、Ｖｒｅｆ１基準そのままの像データを読まねばならず、全領域のデータを読むことができないデメリットが生じる一方、像データが得られる時、その測距の精度は向上する。図３（ａ）に示されるように、読むことができる領域が主被写体ならば、マルチＡＦを行う必要はない。つまり、読むことができない部分が主被写体以外の遠距離データならば問題はない。
【００３４】
この第１の実施の形態では、更に、図２（ｂ）のＶＰＰのコントラストが低いことを対策し、積分時間を長くして、図２（ａ）に示される中央部の像のコントラストを高くする方策を加えて、より精度向上を狙っている。
【００３５】
つまり、図２（ｂ）に示されるようにＶＳＴＯＰ１　のレベルで積分を止めず、更に積分を継続させると、図２（ｃ）に示されるような像データが得られる。これは、周辺部は飽和してデータが無いが、人物の存在している中央部のデータに対しては、トランジスタ１５がオンされるので、１／２像データにしても、明瞭なコントラストを得ることができる。
【００３６】
このような積分時間延長と、ＶＳＴＯＰ１　またはＶＳＴＯＰ２　で積分を終了させた時の特徴が、下記表２に示される。
【００３７】
【表２】
2004101909.tif 000004
【００３８】
ＶＳＴＯＰ１　では積分にかかるタイムラグが少なくて済み、全データを読むことができるというメリットがあるが、上述したように、コントラストが小さいデータしか出力されない。逆に、時間延長では、コントラストは高まるものの、タイムラグは長くなり、一部のデータが読めなくなる。
【００３９】
以上の点に鑑みることによって、図５のようなフローチャートが考えられる。
【００４０】
以下、図５のフローチャートを参照して、第１の実施の形態に係るカメラの測距動作を説明する。
【００４１】
すなわち、先ず、ステップＳ１にて全データが取得されるべく、最大積分画素がＶＳＴＯＰ１　に到った所で積分が終了する。それと共に、ステップＳ２にて積分時間ｔがカウントされてモニタされる。また、ステップＳ３で分圧抵抗（抵抗列８）の一端が接地される。そして、ステップＳ４にてそれが読出されて概略の像パターンが判定される。これによって、ステップＳ５にてマルチＡＦが可能になる。
【００４２】
次いで、ステップＳ６に於いて、撮影画面内の明るい部分が近距離であるか否かが判定される。ここで、近距離ならば、図３（ｃ）に示されるデータと同様であるのでステップＳ７へ移行する。
【００４３】
そして、ステップＳ７では、積分レベルがＶＳＴＯＰ２　に変更されて再積分される。続いて、ステップＳ８にてコントラスト確保のため、分圧抵抗（抵抗列８）が接地無しの状態にされる。ステップＳ９では、上述した明るい部分のみ読出される。これにより、ステップＳ１３に移行して距離を算出すれば、正しく人物にピントが合わせられる。
【００４４】
一方、上記ステップＳ６にて、明るい部分が近距離でない場合はステップＳ１０へ移行する。この場合、図２（ａ）（または図４）に示されるようなシーンであると考えられるので、ステップＳ１０にて、明るい部分は犠牲にしてでも暗い部分の像を得るべく積分時間が延長（４×ｔ）されて積分が行われる。次いで、ステップＳ１１にて抵抗列８が接地された後、ステップＳ１２にて読出しが行われる。これにより、ステップＳ１３に移行して距離算出が行われれば、正しく人物にピントが合わせられる。
【００４５】
尚、ここでは、一番近い被写体を主被写体（人物）とする選択方法を採用しているが、所定距離優先等、別の方法であってもよい。
【００４６】
このように、第１の実施の形態によれば、逆光でも順光でも人物の位置にかかわらず正しいピント合わせが可能となる。概略のシーン判定の積分レベルを浅くして、必要に応じて積分時間を延長するので、高速のピント合わせを行うことが可能となる。
【００４７】
次に、この発明の第２の実施の形態を説明する。
【００４８】
尚、以下に述べる実施の形態に於いて、その構成は上述した第１の実施の形態と同じであるので説明は省略する。
【００４９】
図６は、この発明の第２の実施の形態に於けるカメラの測距動作を説明するフローチャートである。
【００５０】
この第２の実施の形態は、上述した図５に示される第１の実施の形態のフローチャートとは異なり、ＶＳＴＯＰ１　での積分制御は行わない方式である。
【００５１】
この方式では、主被写体部のコントラストが小さく、暗い部分である（図２（ａ）のようなシーン）のみ特別扱いして、積分時間を変更して再積分して、コントラストの高いデータを得るものである。
【００５２】
すなわち、ステップＳ２１にて全データの取得がされるべく、最大積分画素がＶＳＴＯＰ２　に到った所で積分終了される。以降、ステップＳ２２〜Ｓ２５の処理動作は、上述した図５のフローチャートに於けるステップＳ２〜Ｓ５と同様であるので説明は省略する。
【００５３】
次いで、ステップＳ２６にて、コントラストの判定値となる１／２像データのＶＰＰが設定される。そして、ステップＳ２７に於いて、主被写体部のコントラストが判定される。ここで、該コントラストが高ければ後述するステップＳ３５へ移行し、低ければステップＳ２８に移行する。
【００５４】
続くステップＳ２８では、上述した主被写体部の明るさが判定される。その結果、上記主被写体部が明るければ、ステップＳ２９にて積分制御（ＶＳＴＯＰ２　）が行われる。更に、ステップＳ３０にて、抵抗列８を接地状態から外した後、ステップＳ３４で読出しが行われる。
【００５５】
一方、上記ステップＳ２８にて主被写体部が暗い場合は、ステップＳ３１に移行して積分時間が変更される。ここでは、上記ステップＳ２２に於ける１回目の積分時間ｔと上記ステップＳ２６で求められた主被写体部のコントラストＶＰＰを基に、積分時間ｔＩＮＴ　が決定される。そして、ステップＳ３２にて積分時間ｔＩＮＴ　で再積分されることにより、コントラストの高いデータが得られる。
【００５６】
更に、ステップＳ３３で分圧抵抗（抵抗列８）の一端が接地された後、ステップＳ３４で読出しが行われる。
【００５７】
こうして、読出しが行われた後、ステップＳ３５にて主被写体までの距離が算出される。
【００５８】
上述したように、１／２像データのままでも、主被写体部にコントラストが高ければステップＳ２７からＳ３５へ移行するので、再積分なしで高速で測距が終了するというメリットがある。
【００５９】
また、コントラストが低くて主被写体部が明るければ、ステップＳ３０にて抵抗分圧をやめて読出すことにより、図３（ａ）に示されるようなシーンに対応している。
【００６０】
更に、コントラストが低くて主被写体部が暗い場合は、ステップＳ３１及びＳ３２、にて積分時間を変更して再積分し、コントラストの高いデータを得るようにしている。これによってローコントラスト部も所定のコントラストＶ０　が得られて高精度測距が可能になっている。
【００６１】
次に、この発明の第３の実施の形態を説明する。
【００６２】
図７は、この発明の第３の実施の形態に係るカメラの測距動作を説明するフローチャートである。
【００６３】
先ず、ステップＳ４１にて全データを取得するべく、最大積分画素がＶＳＴＯＰ２　に到った所で積分終了する。次いで、ステップＳ４２にて積分時間ｔがカウントされ、ステップＳ４３にて分圧抵抗（抵抗列８）の一端が接地される。更に、ステップＳ４４にてそれが読出される。
【００６４】
そして、ステップＳ４５に於いて、読出し不能ポイントの有無が判定される。ここで、画面内に大きな輝度差や過激なコントラストが無い場合にはステップＳ４８へ移行し、これらのポイントが有る場合にはステップＳ４６へ移行する。このステップＳ４６では、抵抗列８が接地されて抵抗分圧データが採用されるようにしている。次いで、ステップＳ４７にて読出しが行われる。
【００６５】
ステップＳ４８では、ローコントラストポイントの有無が判定される。ここで、ローコントラストポイントが無い場合はステップＳ５２に移行し、有る場合はステップＳ４９に移行する。
【００６６】
ステップＳ４９では、積分時間が延長（４×ｔ）されて積分が行われる。次いで、ステップＳ５０にて抵抗列８が接地状態から外された後、ステップＳ５１にて読出しが行われる。
【００６７】
こうして、読出しが行われた後、ステップＳ５２に移行して、上述した各ポイントの距離が算出される。そして、ステップＳ５３にて、上記各ポイントの中から主被写体までの距離が決定される。
【００６８】
このように、第３の実施の形態は、上述した第１及び第２の実施の形態とは異なり、１／２像データにしなくとも読出し不能ポイントがある場合にのみ、抵抗分圧データを採用するようにしている。また、画面内に大きな輝度差や過激なコントラストがない場合やローコントラストポイントが無い場合は、比較的高速でピント合わせをすることができる。
【００６９】
また、この第３の実施の形態は、非破壊読出しを前提としているが、上述した第１及び第２の実施の形態とは、どのようなシーンを基本とし、優先させるかの違いがあるのみであり、同様な効果を得ることができる。
【００７０】
次に、この発明の第４の実施の形態を説明する。
【００７１】
図８は、この発明の第４の実施の形態に係るカメラの測距動作を説明するフローチャートである。
【００７２】
初めに、ステップＳ６１にて積分が実行されて、その結果がステップＳ６２、Ｓ６３にて２回読出される。すなわち、ステップＳ６２にて抵抗分圧された状態で読出しがなされ、続くステップＳ６３にて抵抗分圧されない状態で読出しが行われる。
【００７３】
そして、ステップＳ６４に於いて、分圧せずにＡ／Ｄ変換ができなかった部分（図３（ｃ）の読めない領域に相当）のみ分圧データで補われる。つまり、図９（ａ）及び（ｂ）のデータから、図９（ｃ）に示されるようなデータが合成される。
【００７４】
次いで、ステップＳ６５にて、Ｌ、Ｃ、Ｒの３ポイントについてマルチ測距がなされる。そして、ステップＳ６６にて、こうして得られた画面内各ポイントの像データから、主被写体距離が求められる。
【００７５】
このように、第４の実施の形態では、上述した第１乃至第３の実施の形態と比べて、条件分岐がなくプログラムが単純化されるというメリットがある。
【００７６】
【発明の効果】
以上説明したように、この発明によれば、廉価で、且つ単純な構成ながら、画面内のどの位置に被写体が存在しても、正確なピント合わせが可能で、より簡単で使いやすいカメラを提供することができる。
【図面の簡単な説明】
【図１】この発明の第１の実施の形態に係るカメラの概略構成を示すブロック図である。
【図２】第１の実施の形態を説明するもので、（ａ）は逆光シーンの例を示した図、（ｂ）及び（ｃ）は（ａ）のシーンに於ける像データと１／２像データの電圧変化の例を示した図である。
【図３】第１の実施の形態を説明するもので、（ａ）は順光のシーンの例を示した図、（ｂ）及び（ｃ）は（ａ）のシーンに於ける像データの変化の例を示した図である。
【図４】中央に明るいコントラストの建物があり、少し右よりに人物（主被写体２１）が存在するシーンの例を示した図である。
【図５】この発明の第１の実施の形態に係るカメラの測距動作を説明するフローチャートである。
【図６】この発明の第２の実施の形態に於けるカメラの測距動作を説明するフローチャートである。
【図７】この発明の第３の実施の形態に係るカメラの測距動作を説明するフローチャートである。
【図８】この発明の第４の実施の形態に係るカメラの測距動作を説明するフローチャートである。
【図９】第４の実施の形態に於ける像データ、１／２像データの電圧値の変化の例を示した図である。
【符号の説明】
１　主被写体、
２ａ、２ｂ　受光レンズ、
３ａ、３ｂ　センサアレイ、
４　積分回路、
５、１４　基準電圧源、
６　測距用ＩＣ、
８　抵抗列、
１０　ＣＰＵ、
１１　Ａ／Ｄ変換器、
１２　演算制御部、
１５　トランジスタ、
１６　操作スイッチ。
【図１】
2004101909.tif 000005
【図２】
2004101909.tif 000006
【図３】
2004101909.tif 000007
【図４】
2004101909.tif 000008
【図５】
2004101909.tif 000009
【図６】
2004101909.tif 000010
【図７】
2004101909.tif 000011
【図８】
2004101909.tif 000012
【図９】
2004101909.tif 000013